(57)【特許請求の範囲】
【請求項１】
ベースと；
前記ベースに固定されたシャフトと；
前記シャフトに対応する位置に穴を有し、前記ベースに固定されたカバーと；
該穴の周辺の前記カバー上に載置された第１の金属ワッシャーと；
前記第１の金属ワッシャーと協働して前記穴の周辺の前記カバーを挟み込む第２の金属ワッシャーと；
前記第１及び第２の金属ワッシャーを前記シャフトに締結するネジと；
前記第１の金属ワッシャーの外周部と前記カバーとの間に設けられた第１の環状粘弾性材料と、
前記第２の金属ワッシャーの外周部と前記カバーとの間に設けられた第２の環状粘弾性材料とを具備し、
前記第１及び第２の金属ワッシャーは前記ネジの非締結時には互いに接触しないように配置され、前記ネジが締結されると前記第１及び第２の環状粘弾性材料が設けられた部分以外の前記第１及び第２の金属ワッシャーが直接密着することを特徴とする磁気ディスク装置。
【請求項２】
前記第１及び第２金属ワッシャーは弾性を有している請求項１記載の磁気ディスク装置。
【請求項３】
前記第１及び第２金属ワッシャーは前記カバーの穴の直径より小さな内径をそれぞれ有しており、前記ネジは前記カバーの穴の直径より小さな直径の頭を有している請求項１記載の磁気ディスク装置。
【発明の詳細な説明】
【０００１】
【発明の属する技術分野】
本発明は一般的に磁気ディスク装置に関し、特に、磁気ディスク装置立ち上げ時の騒音を低減したスピンドルシャフトの固定構造に関する。
【０００２】
近年、コンピュータ用外部記憶装置の一種である磁気ディスク装置の小型化、薄型化が進んでおり、更に低消費電力化が求められている。また、大容量化のために磁気ディスクの記録密度の向上が要求され、装置に搭載する磁気ディスクの枚数が増加している。
【０００３】
【従来の技術】
コンピュータ用磁気ディスク装置では、磁気ヘッドと磁気ディスクとの関係は、コンタクトスタートストップ（ＣＳＳ）方式が一般的に採用されている。この方式では、磁気ディスク回転中においては、高速回転により発生する空気流による浮上力とヘッドをディスクに押しつけるサスペンションとの力のバランスで、磁気ヘッドは磁気ディスク上を微小な間隙を保って浮上する。
【０００４】
磁気ディスクの回転が停止すると、磁気ヘッドは磁気ディスク上の接触可能領域へ移動し、そこで磁気ヘッドと磁気ディスクが接触する。磁気ディスクが回転停止中は、磁気ヘッドと磁気ディスクは接触したままである。
【０００５】
磁気ディスクはスピンドルモータにより回転駆動される。スピンドルモータはハウジングに固定されたスピンドルシャフトと、一対の軸受によりスピンドルシャフト回りに回転可能に取り付けられたスピンドルハブとを含んでいる。
【０００６】
スピンドルハブに磁気ディスクと環状スペーサとを交互に挿入し、クランパをスピンドルハブにネジ締結することにより、複数枚の磁気ディスクが所定間隔離間してスピンドルハブに固定される。
【０００７】
スピンドルシャフトにはコイルが固定され、スピンドルハブにはヨーク及び永久磁石が固定されてロータを構成する。ロータは一対の軸受でスピンドルシャフト上に回転可能に支持されている。
【０００８】
従来の磁気ディスク装置では、スピンドルシャフトはベースに固定されるとともに、その上端が直接カバーにネジ締結されている。同様に、アクチュエータシャフトもベースに固定されるとともに、その上端が直接カバーにネジ締結されている。
【０００９】
【発明が解決しようとする課題】
従来の磁気ディスク装置では、スピンドルシャフトとカバーが直接ネジで結合されていたため、スピンドルモータで発生する振動が直接カバーに伝達されていた。その結果、カバーに振動が励起され、騒音が悪化するという問題があった。
【００１０】
また、モータの弾性変形モードにおいて、スピンドルシャフトが共振してうねり、このうねりがカバーとを連成してカバーが共振する。更に、スピンドルハブを回転可能に支持するボールベアリングは回転に比例する振動周波数を有しており、モータの弾性変形モードの振動とボールベアリングのボール成分の振動はある周波数（約２．７ｋＨｚ）で共振を起こし、磁気ディスク装置起動時に耳障りな共振音を発生させていた。
【００１１】
一方、アクチュエータシャフトもカバーに直接ネジで結合されているため、アクチュエータがシーク動作（揺動）をすると、上述したスピンドルモータと同様にアクチュエータの振動がカバーに伝達され、この振動による騒音が発生する問題があった。
【００１２】
米国特許第５，４８３，３９７号では、スピンドルシャフトとカバーとの間に粘弾性材料を貼り付けた１個の金属ワッシャーを配置して、スピンドルシャフトの上端部をカバーに固定している。
【００１３】
この固定構造によると、スピンドルシャフトの振動がカバーに伝達されるのが抑制されるが、磁気ディスク装置に衝撃が印加されると、固定部が変形して粘弾性材料が剥がれる可能性があった。
【００１４】
【課題を解決するための手段】
本発明によると、ベースと；前記ベースに固定されたシャフトと；前記シャフトに対応する位置に穴を有し、前記ベースに固定されたカバーと；該穴の周辺の前記カバー上に載置された第１の金属ワッシャーと；前記第１の金属ワッシャーと協働して前記穴の周辺の前記カバーを挟み込む第２の金属ワッシャーと；前記第１及び第２の金属ワッシャーを前記シャフトに締結するネジと；前記第１の金属ワッシャーの外周部と前記カバーとの間に設けられた第１の環状粘弾性材料と、前記第２の金属ワッシャーの外周部と前記カバーとの間に設けられた第２の環状粘弾性材料とを具備し、前記第１及び第２の金属ワッシャーは前記ネジの非締結時には互いに接触しないように配置され、前記ネジが締結されると前記第１及び第２の環状粘弾性材料が設けられた部分以外の前記第１及び第２の金属ワッシャーが直接密着することを特徴とする磁気ディスク装置が提供される。
【００１５】
好ましくは、第１及び第２のワッシャーは弾性を有している。更に好ましくは、第１及び第２のワッシャーはカバーの穴の直径よりも小さな内径をそれぞれ有しており、ネジはカバーの穴の直径より小さな直径の頭を有している。
【００１６】
本発明の他の側面によると、ベースと；前記ベースに固定されたスピンドルシャフトと；前記スピンドルシャフトに取り付けられたコイルと；前記スピンドルシャフト回りに回転可能に取り付けられたスピンドルハブと；前記スピンドルハブに固定された複数のトラックを有する磁気ディスクと；前記コイルとの間にギャップを画成するように前記スピンドルハブに固定された永久磁石と；前記磁気ディスクに対して情報のリード／ライトを行う磁気ヘッドと；前記磁気ヘッドを磁気ディスクのトラックを横切って移動させるアクチュエータと；前記スピンドルシャフトに対応する位置に穴を有し、前記ベースに固定されたカバーと；前記穴の直径よりも大きな外径を有し、該穴の周辺の前記カバー上に載置された第１の金属ワッシャーと；前記穴の直径よりも大きな外径を有し、前記第１の金属ワッシャーと協働して前記穴の周辺の前記カバーを挟み込む第２の金属ワッシャーと；前記第１及び第２の金属ワッシャーを前記スピンドルシャフトに締結するネジと；を具備したことを特徴とする磁気ディスク装置が提供される。
【００１７】
好ましくは、第１の金属ワッシャーとカバーとの間に第１の環状粘弾性材料が配置され、第２の金属ワッシャーとカバーとの間に第２の環状粘弾性材料が配置されている。
【００１８】
更に好ましくは、ネジの非締結時には第１及び第２の金属ワッシャーは互いに接触しないように配置され、ネジが締付けられると第１及び第２の金属ワッシャーは互いに密着する。
【００１９】
本発明の更に他の側面によると、ベースと；前記ベースに固定されたスピンドルシャフトと；前記スピンドルシャフトに取り付けられたコイルと；前記スピンドルシャフト回りに回転可能に取り付けられたスピンドルハブと；前記スピンドルハブに固定された複数のトラックを有する磁気ディスクと；前記コイルとの間にギャップを画成するように前記スピンドルハブに固定された永久磁石と；前記磁気ディスクに対して情報のリード／ライトを行う磁気ヘッドと；前記ベースに固定されたアクチュエータシャフトを含み、前記磁気ヘッドを磁気ディスクのトラックを横切って移動させるアクチュエータと；前記アクチュエータシャフトに対応する位置に穴を有し、前記ベースに固定されたカバーと；前記穴の直径よりも大きな外径を有し、該穴の周辺の前記カバー上に載置された第１の金属ワッシャーと；前記穴の直径よりも大きな外径を有し、前記第１の金属ワッシャーとを協働して前記穴の周辺の前記カバーを挟み込む第２の金属ワッシャーと；前記第１及び第２の金属ワッシャーを前記アクチュエータシャフトに締結するネジと；を具備したことを特徴とする磁気ディスク装置が提供される。
【００２０】
本発明の更に他の側面によると、ベースと；前記ベースに固定されたスピンドルシャフトと；前記スピンドルシャフトに取り付けられたコイルと；前記スピンドルシャフト回りに回転可能に取り付けられたスピンドルハブと；前記スピンドルハブに固定された複数のトラックを有する磁気ディスクと；前記コイルとの間にギャップを画成するように前記スピンドルハブに固定された永久磁石と；前記磁気ディスクに対して情報のリード／ライトを行う磁気ヘッドと；前記ベースに固定されたアクチュエータシャフトを含み、前記磁気ヘッドを磁気ディスクのトラックを横切って移動させるアクチュエータと；前記スピンドルシャフトに対応する位置に第１の穴を有し、前記アクチュエータシャフトに対応する位置に第２の穴を有する前記ベースに固定されたカバーと；前記第１の穴の直径をよりも大きな外径を有し、該第１の穴の周辺の前記カバー上に載置された第１の金属ワッシャーと；前記第１の穴の直径よりも大きな外径を有し、前記第１の金属ワッシャーと協働して前記第１の穴の周辺の前記カバーを挟み込む第２の金属ワッシャーと；前記第１及び第２の金属ワッシャーを前記スピンドルシャフトに締結する第１のネジと；前記第２の穴の直径よりも大きな外径を有し、該第２の穴の周辺の前記カバー上に載置された第３の金属ワッシャーと；前記第２の穴の直径よりも大きな外径を有し、前記第３の金属ワッシャーと協働して前記第２穴の周辺の前記カバーを挟み込む第４の金属ワッシャーと；前記第３及び第４の金属ワッシャーを前記アクチュエータシャフトに締結する第２のネジと；を具備したことを特徴とする磁気ディスク装置が提供される。
【００２１】
【発明の実施の形態】
図１を参照すると、カバーを外した状態の磁気ディスク装置の平面図が示されている。ハウジング２はベース４とこのベース４に固定されたカバー６（図２参照）から構成される。
【００２２】
ベース４にはスピンドルシャフト８が固定されており、このスピンドルシャフト８回りにＤＣモータにより回転駆動される図示しないスピンドルハブが設けられている。
【００２３】
スピンドルハブには磁気ディスク１０とスペーサ（図示せず）が交互に挿入され、ディスククランプ１２を複数のネジ１４によりスピンドルハブに締結することにより、複数枚の磁気ディスク１０が所定間隔離間してスピンドルハブに取り付けられる。
【００２４】
符号１６はアクチュエータアームアセンブリ１８と磁気回路２０とから構成されるロータリアクチュエータを示している。アクチュエータアームアセンブリ１８は、ベース４に固定されたアクチュエータシャフト２２回りに回転可能に取り付けられている。
【００２５】
アクチュエータアームアセンブリ１８は一対の軸受を介してアクチュエータシャフト２２回りに回転可能に取り付けられたアクチュエータブロック２４と、アクチュエータブロック２４から一方向に伸長した複数のアクチュエータアーム２６と、各アクチュエータアーム２６の先端部に固定されたヘッドアセンブリ２８とを含んでいる。
【００２６】
各ヘッドアセンブリ２８は磁気ディスク１０にデータのライト／リードをする電磁トランスデューサを有する磁気ヘッド３０と、先端部に磁気ヘッド３０を支持しその基端部がアクチュエータアーム２６に固定されたサスペンション３２を含んでいる。
【００２７】
アクチュエータシャフト２２に対してアクチュエータアーム２６と反対側にはコイル３４（図２参照）が支持されており、コイル３４が磁気回路２０のギャップ中に挿入されて、ボイスコイルモータ（ＶＣＭ）３６が構成される。
【００２８】
符号３８は電磁トランスデューサに書き込み信号を供給したり、電磁トランスデューサからの読み取り信号を取り出すフレキシブルプリント配線板（ＦＰＣ）を示しており、その一端がアクチュエータブロック２４の側面に固定されている。
【００２９】
図２を参照すると、本発明第１実施形態の磁気ディスク装置の断面図が示されている。ベース４に形成された円形開口４１内にはフランジ４２の一部が挿入され、複数のネジ４４によりフランジ４２がベース４に固定されている。フランジ４２にはスピンドルシャフト８が圧入固定されている。
【００３０】
スピンドルシャフト８にはコイル４６が接着により固定されており、一対の軸受５０，５２を介してロータ４８が回転可能に取り付けられている。
【００３１】
即ち、軸受５０，５２のインナーレースがスピンドルシャフト８に圧入固定されており、軸受５０，５２のアウターレースにヨークとして作用するスリーブ５４及び環状ブッシュ５６がそれぞれ接着により固定されている。
【００３２】
スリーブ５４の内周面には環状永久磁石５８が接着されている。永久磁石５８とコイル４６との間には所定のギャップが形成され、永久磁石５８がヨーク５４と協力してコイル４６回りに磁気回路を形成する。
【００３３】
スリーブ５４の外周面にはスピンドルハブ６０が接着等により固定されている。スピンドルハブ６０には磁気ディスク１０と環状スペーサ１１が交互に挿入され、ディスククランプ１２を複数のネジ１４によりスピンドルハブ６０に締結することにより、複数枚の磁気ディスク１０が所定間隔離間してスピンドルハブ６０に取り付けられている。
【００３４】
図３（Ａ）及び図３（Ｂ）を参照すると、図２のＰ部分の拡大図が示されている。図３（Ａ）はネジ７０締結前の状態を、図３（Ｂ）はネジ７０をスピンドルシャフト８に締結した状態をそれぞれ示している。
【００３５】
図３（Ａ）に示すように、カバー６はベース４に固定されたスピンドルシャフト８の上端に対応する部分に穴６１と、穴６１回りの凹部（リセス）６３を有している。この凹部６３に下側に環状の粘弾性両面接着テープ６６を貼り付けた第１の金属ワッシャー６２を貼り付ける。
【００３６】
上側に粘弾性両面接着テープ６８を貼り付けた第２の金属ワッシャー６４をカバー６０の内面に貼り付け、第１の金属ワッシャー６２と第２の金属ワッシャー６４でカバー６２を挟み込む。
【００３７】
第１及び第２の金属ワッシャー６２，６４は例えばステンレス鋼から形成される。第１及び第２の金属ワッシャー６２，６４はカバー６の穴６１の直径よりも小さな内径を有している。
【００３８】
第１及び第２の金属ワッシャー６２，６４はステンレス鋼から形成されるため、弾性を有している。粘弾性材料としては、両面接着テープ、アルファゲル、ブチルゴム、接着剤等を採用可能である。
【００３９】
第１及び第２の金属ワッシャー６２，６４をカバー６に貼り付けた状態では、図４（Ａ）に示すように第１及び第２の金属ワッシャー６２，６４の間に約０．１ｍｍの隙間が形成される。
【００４０】
図３（Ｂ）はネジ７０をスピンドルシャフト８に締付けた状態を示しており、ネジ７０の締付け力により環状の粘弾性両面接着テープ６６，６８はつぶれ、第１の金属ワッシャー６２と第２の金属ワッシャー６４は密着する。ネジ７０はカバー６の穴６１の直径よりも小さな直径の頭を有している。
【００４１】
スピンドルシャフト８を省略したネジ７０の締結状態が図４（Ｂ）にも示されている。第１の金属ワッシャー６２と第２の金属ワッシャー６４は密着しているため、両者の隙間は零となっている。
【００４２】
図５（Ａ）及び図５（Ｂ）は図２のＱ部分の拡大図を示している。図５（Ａ）はネジ９６を締結する前の状態であり、図５（Ｂ）はネジ９６をアクチュエータシャフト２２に締結した状態をそれぞれ示している。
【００４３】
図５（Ａ）に示されているように、カバー６はベース４に固定されたアクチュエータシャフト２２の上端に対応する部分に穴８７と、穴８７回りの凹部（リセス）８９を有している。
【００４４】
下側に環状の粘弾性両面接着テープ９２を貼り付けた第３の金属ワッシャー８８を凹部８９に貼り付け、上側に粘弾性両面接着テープ９４を貼り付けた第４の金属ワッシャー９０をカバー６の内側に貼り付けて、第３及び第４の金属ワッシャー８８、９０でカバー６を挟み込む。
【００４５】
ネジ９６をアクチュエータシャフト２２に締付けると、図５（Ｂ）に示されるように環状の粘弾性両面接着テープ９２，９４はネジ９６の締付け力により押し潰されて、第３の金属ワッシャー８８と第４の金属ワッシャー９０は密着する。第３及び第４の金属ワッシャー８８，９０は例えばステンレス鋼から形成される。
【００４６】
図４（Ａ）及び図４（Ｂ）に示したスピンドルシャフト部分の固定と同様に、ネジ９６の非締結時には第３及び第４の金属ワッシャー８８，９０は両者の間に約０．１ｍｍの隙間を有するように配置され、ネジ９６をアクチュエータシャフト２２に締付けると、第３及び第４の金属ワッシャー８８，９０は密着して両者の隙間は零になる。
【００４７】
図６を参照すると、本発明第２実施形態の磁気ディスク装置の断面図が示されている。図７は図６のＲ部分の拡大図を示している。本実施形態では、スピンドルシャフト２２の上端をカバー６に固定するのに平座金９８付きのネジ９６を使用する。本実施形態の他の構成は図２に示した第１実施形態と同様である。
【００４８】
即ち、上側に粘弾性両面接着テープを貼り付けた金属ワッシャー１００を穴６１部分のカバー６の内側に貼り付け、平座金９８の下側に環状の粘弾性両面接着テープを貼り付けたネジ９９をスピンドルシャフト８に締付ける。
【００４９】
ネジ９９をスピンドルシャフト８に締付けると、環状の粘弾性両面接着テープは押し潰されて平座金９８と金属ワッシャー１００とが密着する。平座金９８及び金属ワッシャー１００は例えばステンレス鋼から形成される。
【００５０】
本実施形態でも図４（Ａ）及び図４（Ｂ）に示した第１実施形態と同様に、ネジ９９の非締結時には平座金９８と金属ワッシャー１００との間には約０．１ｍｍの隙間があり、ネジ９９をスピンドルシャフト８に締付けると平座金９８と金属ワッシャー１００は密着する。
【００５１】
本実施形態では、ネジ９６をアクチュエータシャフト２２に直接締結してアクチュエータシャフト２２をカバー６に固定しているが、スピンドルシャフト８のカバー６への固定と同様に、平座金付きネジの平座金と金属ワッシャーでカバー６を挟み込み、アクチュエータシャフト２２をカバー６に固定するようにしても良い。
【００５２】
本発明によると、図４（Ａ）に示すように、初期状態では２個の金属ワッシャー６２，６４が互いに離れて配置され、ネジ締結時には図４（Ｂ）に示すように、ネジ７０の締付け力により２個の金属ワッシャー６２，６４が弾性変形して互いに密着する。
【００５３】
このようにネジをスピンドルシャフト又はアクチュエータシャフトに締付けると、２個の金属ワッシャーが弾性変形して密着しながらカバーをサンドイッチして締付ける。これによってネジの弛みは生じ難く、又粘弾性材料のクリープも金属ワッシャーのバネ効果により防止される。
【００５４】
また、本発明により、スピンドルモータに起因するカバーの振動が大きく低減された。特に、磁気ディスク装置起動時における所定の振動周波数でのカバーの共振が顕著に減少された。
【００５５】
図８は本発明により低減されたカバーの振動を示すキャンベルチャートであり、横軸がスピンドルモータの回転速度（ｒｐｍ）、縦軸が振動周波数（Ｈｚ）である。
【００５６】
丸の大きさが振動の大きさを示している。図９は従来例のキャンベルチャートである。この従来例では、金属ワッシャーを使用せずにスピンドルシャフトの上端を直接ネジでカバーに固定している。
【００５７】
図８及び図９を比較すると明らかなように、従来例では振動周波数２．７ｋＨｚに大きく見られたスピンドルモータ起因の振動成分が、本発明により約２０ｄＢ改善された。
【００５８】
表１は従来例と比較した本発明の騒音レベルの効果を示している。
【００５９】
【表１】
0003614742.tif 000002
【００６０】
本発明では従来例と比較して、騒音レベルがレディ状態で約２ｄＢ改善され、シーク時にも同様に約２ｄＢ改善された。
【００６１】
本発明の実施の形態を列挙すると以下の通りである。
【００６２】
（１）  ベースと；
前記ベースに固定されたスピンドルシャフトと；
前記スピンドルシャフトに取り付けられたコイルと；
前記スピンドルシャフト回りに回転可能に取り付けられたスピンドルハブと；
前記スピンドルハブに固定された複数のトラックを有する磁気ディスクと；
前記コイルとの間にギャップを画成するように前記スピンドルハブに固定された永久磁石と；
前記磁気ディスクに対して情報のリード／ライトを行う磁気ヘッドと；
前記磁気ヘッドを磁気ディスクのトラックを横切って移動させるアクチュエータと；
前記スピンドルシャフトに対応する位置に穴を有し、前記ベースに固定されたカバーと；
前記穴の直径よりも大きな外径を有し、該穴の周辺の前記カバー上に載置された第１の金属ワッシャーと；
前記穴の直径よりも大きな外径を有し、前記第１の金属ワッシャーと協働して前記穴の周辺の前記カバーを挟み込む第２の金属ワッシャーと；
前記第１及び第２の金属ワッシャーを前記スピンドルシャフトに締結するネジと；
を具備したことを特徴とする磁気ディスク装置。
【００６３】
（２）  前記第１の金属ワッシャーと前記カバーとの間に配置された第１の環状粘弾性材料と、
前記第２の金属ワッシャーと前記カバーとの間に配置された第２の環状粘弾性材料とを更に具備した１項記載の磁気ディスク装置。
【００６４】
（３）  前記第１及び第２の金属ワッシャーは前記ネジの非締結時には互いに接触しないように配置され、前記ネジが締付けられると両者が密着する１項記載の磁気ディスク装置。
【００６５】
（４）  ベースと；
前記ベースに固定されたスピンドルシャフトと；
前記スピンドルシャフトに取り付けられたコイルと；
前記スピンドルシャフト回りに回転可能に取り付けられたスピンドルハブと；
前記スピンドルハブに固定された複数のトラックを有する磁気ディスクと；
前記コイルとの間にギャップを画成するように前記スピンドルハブに固定された永久磁石と；
前記磁気ディスクに対して情報のリード／ライトを行う磁気ヘッドと；
前記ベースに固定されたアクチュエータシャフトを含み、前記磁気ヘッドを磁気ディスクのトラックを横切って移動させるアクチュエータと；
前記アクチュエータシャフトに対応する位置に穴を有し、前記ベースに固定されたカバーと；
前記穴の直径よりも大きな外径を有し、該穴の周辺の前記カバー上に載置された第１の金属ワッシャーと；
前記穴の直径よりも大きな外径を有し、前記第１の金属ワッシャーとを協働して前記穴の周辺の前記カバーを挟み込む第２の金属ワッシャーと；
前記第１及び第２の金属ワッシャーを前記アクチュエータシャフトに締結するネジと；
を具備したことを特徴とする磁気ディスク装置。
【００６６】
（５）  前記第１の金属ワッシャーと前記カバーとの間に配置された第１の環状粘弾性材料と、
前記第２の金属ワッシャーと前記カバーとの間に配置された第２の環状粘弾性材料とを更に具備した４項記載の磁気ディスク装置。
【００６７】
（６）  前記第１及び第２の金属ワッシャーは前記ネジの非締結時には互いに接触しないように配置され、前記ネジが締付けられると両者が密着する４項記載の磁気ディスク装置。
【００６８】
（７）  ベースと；
前記ベースに固定されたスピンドルシャフトと；
前記スピンドルシャフトに取り付けられたコイルと；
前記スピンドルシャフト回りに回転可能に取り付けられたスピンドルハブと；
前記スピンドルハブに固定された複数のトラックを有する磁気ディスクと；
前記コイルとの間にギャップを画成するように前記スピンドルハブに固定された永久磁石と；
前記磁気ディスクに対して情報のリード／ライトを行う磁気ヘッドと；
前記ベースに固定されたアクチュエータシャフトを含み、前記磁気ヘッドを磁気ディスクのトラックを横切って移動させるアクチュエータと；
前記スピンドルシャフトに対応する位置に第１の穴を有し、前記アクチュエータシャフトに対応する位置に第２の穴を有する前記ベースに固定されたカバーと；
前記第１の穴の直径よりも大きな外径を有し、該第１の穴の周辺の前記カバー上に載置された第１の金属ワッシャーと；
前記第１の穴の直径よりも大きな外径を有し、前記第１の金属ワッシャーと協働して前記第１の穴の周辺の前記カバーを挟み込む第２の金属ワッシャーと；
前記第１及び第２の金属ワッシャーを前記スピンドルシャフトに締結する第１のネジと；
前記第２の穴の直径よりも大きな外径を有し、該第２の穴の周辺の前記カバー上に載置された第３の金属ワッシャーと；
前記第２の穴の直径よりも大きな外径を有し、前記第３の金属ワッシャーと協働して前記第２穴の周辺の前記カバーを挟み込む第４の金属ワッシャーと；
前記第３及び第４の金属ワッシャーを前記アクチュエータシャフトに締結する第２のネジと；
を具備したことを特徴とする磁気ディスク装置。
【００６９】
（８）  前記第１の金属ワッシャーと前記カバーとの間に配置された第１の環状粘弾性材料と、
前記第２の金属ワッシャーと前記カバーとの間に配置された第２の環状粘弾性材料と、
前記第３の金属ワッシャーと前記カバーとの間に配置された第３の環状粘弾性材料と、
前記第４の金属ワッシャーと前記カバーとの間に配置された第４の環状粘弾性材料と、
を更に具備した７項記載の磁気ディスク装置。
【００７０】
（９）  前記第１のネジの非締結時には前記第１及び第２の金属ワッシャーは互いに接触しないように配置され、前記第１のネジを締付けると両者が互いに密着し、
前記第２のネジの非締結時には前記第３及び第４の金属ワッシャーが互いに接触しないように配置され、前記第２のネジを締付けると両者が互いに密着する７項記載の磁気ディスク装置。
【００７１】
【発明の効果】
本発明は以上詳述したように構成したので、シャフトをカバーに締結するネジに弛みが生じ難いため、カバーと金属ワッシャーとの間に挟んだ粘弾性材料のクリープを有効に防止することができる。
【００７２】
また、スピンドルモータに起因するカバーの振動を抑制することができる。特に、磁気ディスク装置起動時に従来発生していた特定振動周波数でのカバーの共振を有効に防止することができる。
【００７３】
更に、レディ状態での磁気ディスク装置の騒音レベルも改善することができ、シーク時アクチュエータの揺動運動に起因する騒音も改善することができる。
【図面の簡単な説明】
【図１】カバーを外した状態の磁気ディスク装置の平面図である。
【図２】本発明第１実施形態の磁気ディスク装置の断面図である。
【図３】図３（Ａ）はネジを締付ける前の図２のＰ部分の拡大図であり、図３（Ｂ）はネジ締結時の図２のＰ部分拡大図である。
【図４】図４（Ａ）は初期状態又は自由状態の金属ワッシャー間の隙間を説明する図であり、図４（Ｂ）はネジ締結時の両金属ワッシャーの密着状態を説明する図である。
【図５】図５（Ａ）はネジを締結する前の図２のＱ部分拡大図であり、図５（Ｂ）はネジ締結時の図２のＱ部分拡大図である。
【図６】本発明第２実施形態の磁気ディスク装置の断面図である。
【図７】図６のＲ部分拡大図である。
【図８】本発明により低減されたハウジングの振動を示すキャンベルチャートである。
【図９】従来例のハウジングの振動を示すキャンベルチャートである。
【符号の説明】
２  ハウジング
４  ベース
６  カバー
８  スピンドルシャフト
１０  磁気ディスク
１６  ロータリアクチュエータ
２０  磁気回路
２２  アクチュエータシャフト
２６  アクチュエータアーム
３０  磁気ヘッド
６０  スピンドルハブ
６２，６４，８８，９０，１００  金属ワッシャー
６６，６８，９２，９４  環状粘弾性材料
９９  平座金付きネジ
【図１】
0003614742.tif 000003
【図２】
0003614742.tif 000004
【図３】
0003614742.tif 000005
【図４】
0003614742.tif 000006
【図５】
0003614742.tif 000007
【図６】
0003614742.tif 000008
【図７】
0003614742.tif 000009
【図８】
0003614742.tif 000010
【図９】
0003614742.tif 000011